(57)【要約】【課題】貼り付けられた部材をより破れにくくさせるインデックスラベルを提供する。【解決手段】インデックスラベル１は、１つの態様として、第１の表示部１１、第１の貼り付け部１３及び第１の補強部１５を含むフェイス材層２と、フェイス材層２の裏面に配置される接着剤層３とを備えている。第１の表示部１１は、Ｙ方向に幅Ｗ１を有し、Ｙ方向に平行な第１及び第２の端辺１１ａ，１１ｂと、Ｘ方向に傾斜して延在する第３及び第４の端辺１１ｃ，１１ｄとを有している。第１の貼り付け部１３は、第１の表示部１１の第１の端辺１１ａに連結し、第１の表示部１１の幅Ｗ１よりも長い幅Ｗ３を有している。第１の補強部１５は、第１の表示部１１の第３の端辺１１ｃに隣接し、第１の貼り付け部１３に連接して配置される。【選択図】図１
2013010195.tif 000002
【特許請求の範囲】
【請求項１】
第１の表示部、第１の貼り付け部、及び補強部を含み、単一又は複数の層で構成される基材と、
少なくとも前記第１の貼り付け部及び前記補強部に対応する前記基材の裏面に配置される接着剤層と、を備え、
前記第１の表示部は、前記第１の方向に所定の幅を有し、且つ、前記第１の方向に平行な第１及び第２の端辺と、前記第１の方向に交差する第２の方向に平行又は非平行に延在する第３及び第４の端辺とを有し、
前記第１の貼り付け部は、前記第１の表示部の前記第１の端辺に連結し、且つ、前記第１の方向に前記第１の表示部の幅よりも長い幅を有し、
前記補強部は、前記第１の表示部の前記第３又は第４の端辺の少なくとも一方に隣接し、且つ、前記第１の貼り付け部に連接して配置される、
インデックスラベル。
【請求項２】
前記第１の貼り付け部の前記幅は、前記第１の表示部の前記幅と前記補強部の前記第１の方向における幅との和に等しい、請求項１に記載のインデックスラベル。
【請求項３】
前記第１の貼り付け部及び前記補強部に対応する前記基材は、透明プラスチック層で形成されている、請求項１又は２に記載のインデックスラベル。
【請求項４】
前記補強部は、前記第１の貼り付け部側の一端から前記第２の方向における他端に向かって、前記第１の方向における内側に傾斜している、請求項１〜３の何れか一項に記載のインデックスラベル。
【請求項５】
前記基材は、前記第１の表示部の前記第２の端辺を対称軸として前記第１の表示部に線対称に配置される第２の表示部を更に含む、請求項１〜４の何れか一項に記載のインデックスラベル。
【請求項６】
前記基材は、前記第２の表示部に連結される第２の貼り付け部であって、前記第１の表示部の第２の端辺を対称軸として前記第１の貼り付け部と線対称に配置される第２の貼り付け部を更に含む、請求項５に記載のインデックスラベル。
【発明の詳細な説明】
【技術分野】
【０００１】
本発明は、インデックスラベルに関する。
【背景技術】
【０００２】
例えば、本やノートといったシート状の部材の端縁に貼り付けて見出しとして使用する種々のインデックスラベルが提案されている。特許文献１には、一対の表示部と一対の表示部の一方から延びる貼り付け部とを有するインデックスラベルが記載されている。特許文献２には、一対の表示部と一対の表示部を覆う透明体とを有するインデックスラベルが記載されている。
【先行技術文献】
【特許文献】
【０００３】
【特許文献１】米国特許第６５９４９３３号明細書
【特許文献２】実公平３−１８２１９号公報
【発明の概要】
【発明が解決しようとする課題】
【０００４】
従来のインデックスラベルでは、インデックスラベルをシート状の部材の端縁に貼り付けた後にそのラベルを指でつまんで持ち上げたりした際、ラベルが貼り付けられたシート状の部材の端縁とインデックスラベルとの境目で、シート状の部材が破れたりする場合がある。したがって、シート状の部材をより破れにくくするインデックスラベルが要請されている。
【課題を解決するための手段】
【０００５】
本発明は、１つの態様において、第１の表示部、第１の貼り付け部、及び補強部を含み、単一又は複数の層で構成される基材と、少なくとも第１の貼り付け部及び補強部に対応する基材の裏面に配置される接着剤層とを備えたインデックスラベルである。このインデックスラベルでは、第１の表示部は、第１の方向に所定の幅を有し、且つ、第１の方向に平行な第１及び第２の端辺と、第１の方向に交差する第２の方向に平行又は非平行に延在する第３及び第４の端辺とを有している。第１の貼り付け部は、第１の表示部の第１の端辺に連結し、且つ、第１の方向に第１の表示部の幅よりも長い幅を有している。補強部は、第１の表示部の第３又は第４の端辺の少なくとも一方に隣接し、且つ、第１の貼り付け部に連接して配置される。
【発明の効果】
【０００６】
本発明によれば、貼り付けられたシート状の部材をより破れにくくさせるインデックスラベルを提供することができる。
【図面の簡単な説明】
【０００７】
【図１】第１実施形態に係るインデックスラベルの平面図である。
【図２】図１におけるII-II線断面図である。
【図３】図１におけるIII-III線断面図である。
【図４】図１におけるIV-IV線断面図である。
【図５】図１に示すインデックスラベルをシートに貼り付ける最初の状態を示す概略平面図である。
【図６】図１に示すインデックスラベルをシートに貼り付ける中間の状態を示す概略平面図である。
【図７】図１に示すインデックスラベルをシートに貼り付ける最終の状態を示す概略平面図である。
【図８】図７の状態を裏面側からみた概略平面図である。
【図９】図７のIX-IX線断面図である。
【図１０】第２実施形態に係るインデックスラベルの平面図である。
【図１１】図１０のXI-XI線断面図である。
【図１２】第３実施形態に係るインデックスラベルの平面図である。
【図１３】第４実施形態に係るインデックスラベルの平面図である。
【図１４】第５実施形態に係るインデックスラベルの平面図である。
【図１５】第６実施形態に係るインデックスラベルの平面図である。
【図１６】第７実施形態に係るインデックスラベルの平面図である。
【図１７】第８実施形態に係るインデックスラベルの平面図である。
【図１８】引張試験に用いたインデックスラベルの平面構造を示す模式的平面図である。
【図１９】引張試験に用いたインデックスラベルの層構造を示す模式的断面図である。
【図２０】引張試験に用いるシートを示す模式的平面図である。
【図２１】引張試験に用いるＳＵＳ板を示す模式的平面図である。
【図２２】引張試験を示す模式的斜視図である。
【発明を実施するための形態】
【０００８】
上記インデックスラベルは、第１の表示部の第３又は第４の端辺の少なくとも一方に隣接し、且つ、第１の貼り付け部に連接して配置される補強部を備えている。このため、このインデックスラベルによれば、インデックスラベルが貼り付けられた書籍、ノート、手帳、書類などのシート状の部材において比較的破れやすいインデックスラベルとの境目付近に補強部を位置させることができるため、シート状の部材をより破れにくくさせることができる。
【０００９】
上記インデックスラベルの他の態様において、第１の貼り付け部の幅は、第１の表示部の幅と補強部の第１の方向における幅との和に等しくしてもよい。これにより、第１の貼り付け部の幅を長めに設定することができると共に、補強部の配置箇所を確保することができる。第1表示部、補強部および第１貼り付け部の各要素をコンパクトに無駄なく、基材上に配置することができる。
【００１０】
上記インデックスラベルの他の態様において、第１の貼り付け部及び補強部に対応する基材は、透明プラスチック層で形成してもよい。これにより、インデックスラベルをシート状部材の端縁に貼り付けた際に、シート状部材の端縁に記載されている文字等をインデックスラベルによって隠してしまうといったことを防止することができる。
【００１１】
上記インデックスラベルの他の態様において、補強部は、第１の貼り付け部側の一端から第２の方向における他端に向かって、第１の方向における内側に傾斜させてもよい。これにより、貼り付けられたシート状部材の端縁とインデックスラベルとの境目に集中する変形応力をインデックスラベルの内側方向に分散させることができ、シート状部材をより一層破れにくくさせることができる。
【００１２】
上記インデックスラベルの他の態様において、基材は、第１の表示部の第２の端辺を対称軸として第１の表示部に線対称に配置される第２の表示部を更に含んでもよい。これにより、両面に表示部を設けることができる。
【００１３】
上記インデックスラベルの他の態様において、基材は、第２の表示部に連結される第２の貼り付け部であって、第１の表示部の第２の端辺を対称軸として第１の貼り付け部と線対称に配置される第２の貼り付け部を更に含んでもよい。これにより、貼り付けられたシート状部材の端縁とインデックスラベルとの境目に集中する変形応力を第２の貼り付け部によっても抑止することができ、シート状部材をより一層破れにくくさせることができる。
【００１４】
以下、添付図面を参照しながら、本発明の実施形態を詳細に説明するが、本発明に係るインデックスラベルは、以下の実施形態に限定されるものではない。なお、図面の説明において同一の要素には同一の符号を付し、重複する説明を省略する。また、各図面の寸法比率は、必ずしも実際の寸法比率とは一致していない。
【００１５】
［第１実施形態］
図１は、第１実施形態に係るインデックスラベルの平面図である。図２〜図４は、それぞれ図１におけるII-II線断面図、III-III線断面図、IV-IV線断面図である。図１〜図４に示されるように、インデックスラベル１は、単一の層で構成されるフェイス材層２（基材）と、フェイス材層２の下面全体に配置される接着剤層３とを備えており、剥離ライナー４上に配置されている。剥離ライナー４は、例えばシリコーン樹脂などの剥離性材料の薄い層がその上面側にコーティングされており、接着剤層３を有するインデックスラベル１を剥離可能な状態で保持する。
【００１６】
接着剤層３は、フェイス材層２と同じ平面形状を呈し、感圧性接着剤から形成される層である。接着剤層３を構成する感圧性接着剤としては、例えばアクリル系感圧性接着剤、シリコーン系感圧性接着剤、合成ゴム系感圧性接着剤、天然ゴム系感圧性接着剤、ウレタン系感圧式接着剤などを用いることができる。また、永久接着型感圧性接着剤、再剥離性感圧式接着剤のいずれも用いることができる。アクリル系感圧式接着剤の具体例としては、例えば東亞合成株式会社製アロンタック（商標）ＨＶ−Ｃ９５００、東亞合成株式会社製アロンタック（商標）ＨＶ−Ｃ７５５９、ＤＩＣ株式会社製ファインタックＣＴ−５０３０、トーヨーケム株式会社製ＢＰＷ６１１２、トーヨーケム株式会社製ＢＰＷ６１１６などが挙げられる。
【００１７】
フェイス材層２は、図１に示されるように、矩形形状の一部（台形形状の部分２箇所）を切り欠いた形状を呈しており、例えば、上質紙、コート紙、マットコート紙、再生紙、グラシン紙、クラフト紙、合成紙、和紙などの紙や、ポリプロピレンフィルム、ポリエチレンフィルム、ポリエステルフィルム、ポリアクリルフィルム、ポリ塩化ビニルフィルム、ポリウレタンフィルムなどのプラスチックフィルムから形成される層である。フェイス材層２は、第１の表示部１１と、第２の表示部１２と、第１の貼り付け部１３と、第２の貼り付け部１４と、第１の補強部１５と、第２の補強部１６とを含んで構成される。なお、フェイス材層２には、予め枠線などの印刷がされていてもよい。
【００１８】
第１の表示部１１は、鉛筆やペンなどで見出しを書き込んだり又はプリンターで見出しを印刷したりするための部分であり、インデックスラベル１をシートＳに貼り付けた際に表側の見出しとして機能する（図７参照）。第１の表示部１１は、Ｙ方向（第１の方向）に平行な第１及び第２の端辺１１ａ，１１ｂと、Ｙ方向に直交するＸ方向（第２の方向）に対して傾斜（非平行）して延在する第３及び第４の端辺１１ｃ，１１ｄとからなる台形形状を呈している。第１の表示部１１は、第１端辺１１ａの幅が例えばＷ１である。
【００１９】
第２の表示部１２は、第１の表示部１１と同様、鉛筆やペンなどで見出しを書き込んだり又はプリンターで見出しを印刷したりするための部分であり、インデックスラベル１を書籍、ノート、手帳、書類などのシートＳに貼り付けた際に裏側の見出しとして機能する（図８参照）。第２の表示部１２は、第１の表示部１１との境界線となる第２の端辺１１ｂを挟んで、第１の表示部１１と線対称な形状となっており、同様な台形形状を呈している。なお、図1の図面中、説明の便宜のため、第１及び第２の表示部１１，１２、第１及び第２の貼り付け部１３，１４、および第１及び第２の補強部の各領域の境界を破線で描いている。第１及び第２の表示部１１，１２の間には、第２の端辺１１ｂの破線上に、ミシン目が形成されてもよい。このミシン目は、インデックスラベル１をシートＳに貼り付けるために第２の表示部１２を裏側に折り曲げる際の起点として機能する。第１及び第２の表示部１１，１２のＸ方向における長さは共にＬ１である。
【００２０】
第１の貼り付け部１３は、図１及び図２に示されるように、フェイス材層２の下側に配置される接着剤層３の一部３ａを介して、シートＳの表側にインデックスラベル１を貼り付けるための部分である（図５参照）。第１の貼り付け部１３は、第１の表示部１１の第１の端辺１１ａに連結するように形成されている。第１の貼り付け部１３は、第１の表示部１１の幅Ｗ１よりも長い幅Ｗ３を長手方向とする長方形形状を呈している。このように表示部１１よりも幅が長いことにより、第１の貼り付け部１３は、シートＳにインデックスラベル１を貼り付ける機能に加え、従来、破れやすかったシートＳの部分を補強する作用も奏する。
【００２１】
第１の貼り付け部１３の幅Ｗ３と第１の表示部１１の幅Ｗ１との差分値としては、例えば、最小が２ｍｍ又は３ｍｍであり、最大が１０ｍｍ、２０ｍｍ又は３０ｍｍである。幅Ｗ３と幅Ｗ１との差分値を最小で２ｍｍとしたのは、その差分値が２ｍｍ未満であると、第１の貼り付け部１３による補強強化が十分でない場合があるからである。一方、幅Ｗ３と幅Ｗ１との差分値を最大で３０ｍｍとしたのは、その差分値が３０ｍｍよりも長くなると、貼り付けられたシートＳに記載されている表示内容をインデックスラベル１によって隠してしまう可能性が高くなるからである。
【００２２】
第２の貼り付け部１４は、図１及び図４に示されるように、フェイス材層２の下側に配置される接着剤層３の一部３ｂを介して、シートＳの裏側にインデックスラベル１を貼り付けるための部分である（図８参照）。第２の貼り付け部１４は、第１の表示部１１の第２の端辺１１ｂを対称軸として第１の貼り付け部１３と線対称な長方形形状を呈している。第２の貼り付け部１４は、第２の表示部１２の第１の端辺１２ａに連結するように形成されている。第１の端辺１２ａは、第１の表示部１１の第２の端辺１１ｂを対称軸として第１の端辺１１ａと線対称な辺である。第２の貼り付け部１４は、第１の貼り付け部１３と同様に、第１及び第２の表示部１１，１２の幅Ｗ１よりも長い幅Ｗ３を有している。つまり、第２の貼り付け部１４の幅と第１の貼り付け部１３の幅とは同じである。
【００２３】
また、第１及び第２の貼り付け部１３，１４のＸ方向における長さは同じ長さＬ２である。その長さＬ２としては、例えば、最小で２ｍｍ、３ｍｍ又は４ｍｍであり、最大で１０ｍｍ、１５ｍｍ又は２０ｍｍである。第１及び第２の貼り付け部１３，１４の長さＬ２を２ｍｍ以上としたのは、長さＬ２が２ｍｍ未満であると、第１及び第２の貼り付け部１３，１４による補強強化が十分でない場合があり、また、インデックスラベル１が、貼り付けたシートＳから剥がれてしまう場合があるからである。一方、第１及び第２の貼り付け部１３，１４の長さＬ２を最大で２０ｍｍとしたのは、長さＬ２が２０ｍｍよりも長くなると、貼り付けられたシートＳに記載されている表示内容をインデックスラベル１によって隠してしまう可能性が高くなるからである。
【００２４】
第１の補強部１５は、図１及び図３に示されるように、フェイス材層２の下側に配置される接着剤層３の一部３ｃを介して、第２の貼り付け部１４の上面の一部を覆うように貼り付けされ、インデックスラベル１の貼り付けを補強する部分である（図８参照）。第１の補強部１５は、第１の貼り付け部１３のＹ方向における一方の端部１５ａに連接して形成されており、第１の表示部１１のＹ方向における一方の端辺１１ｃに隣接するように配置される。第１の表示部１１と第１の補強部１５との間である端辺１１ｃに沿って切り込みが形成されており、第１の表示部１１と第１の補強部１５とは互いに分離されている。第１の補強部１５は、台形形状を呈しており、第１の貼り付け部１３側の一端からＸ方向における他端に向かって、Ｙ方向における内側に傾斜するように形成されている。
【００２５】
第１の補強部１５と第１の貼り付け部１３との間には、端辺１５ａの破線上に、ミシン目が形成されてもよい。このミシン目は、インデックスラベル１をシートＳに貼り付けるために第２の表示部１２を裏側に折り曲げた後に（図６参照）、更に第１の補強部１５を裏側に折り曲げる際の起点として機能する。
【００２６】
第２の補強部１６は、図１及び図３に示されるように、フェイス材層２の下側に配置される接着剤層３の一部３ｅを介して、第１の補強部１５と同様に、第２の貼り付け部１４の上面の一部を覆うように貼り付けされ、インデックスラベル１の貼り付けを補強する部分である（図８参照）。第２の補強部１６は、Ｙ方向におけるインデックスラベル１の中心線を対称軸として第１の補強部１５と線対称となる台形形状を呈している。第２の補強部１６は、第１の貼り付け部１３のＹ方向における他方の端部１６ａに連接して形成されており、第１の表示部１１のＹ方向における他方の端辺１１ｄに隣接するように配置される。第１の表示部１１と第２の補強部１６との間である端辺１１ｄに沿って切り込みが形成されており、第１の表示部１１と第２の補強部１６とは互いに分離されている。
【００２７】
第２の補強部１６と第１の貼り付け部１３との間には、端辺１６ａの破線上に、ミシン目が形成されてもよい。このミシン目は、インデックスラベル１をシートＳに貼り付けるために第２の表示部１２を裏側に折り曲げた後に、更に第２の補強部１６を裏側に折り曲げる際の起点として機能する。
【００２８】
第１及び第２の補強部１５，１６のＹ方向における幅（端辺１５ａ，１６ａに対応する部分）は同じ幅Ｗ２であり、第１の表示部１１の幅Ｗ１と第１及び第２の補強部１５，１６の幅Ｗ２，Ｗ２の和が第１又は第２の貼り付け部１３，１４の幅Ｗ３に等しくなっている。第１及び第２の補強部１５，１６の長さＬ３は、例えば、最小で２ｍｍ又は３ｍｍであり、最大で第１及び第２の表示部の長さＬ１の２倍である。第１及び第２の補強部１５，１６の長さＬ３を２ｍｍ以上としたのは、長さＬ２が２ｍｍ未満であると、第１及び第２の補強部１５，１６による補強強化が十分でない場合があるからである。
【００２９】
一方、第１及び第２の補強部１５，１６の長さＬ３を最大で長さＬ１の２倍としたのは、長さＬ３が長さＬ１の２倍よりも長くなると、表示部１１，１２や貼り付け部１３，１４と共に同一平面上に効率的に配置させることが難しくなるからである。図１に示されるように、第１及び第２の補強部１５，１６の長さＬ３が第２の貼り付け部１４の長さＬ２と等しいか、それよりも少し短いと、第１及び第２の補強部１５，１６を折り返した際に第２の貼り付け部１４からはみ出してしまうことを防止でき、また、貼り付けられたシートＳに記載されている内容を隠してしまうことを低減することができる。
【００３０】
続いて、上述した構成を有するインデックスラベル１を、シートＳに貼り付けるための貼り付け方法について、図５〜図９を参照して説明する。
【００３１】
まず、インデックスラベル１を剥離ライナー４から剥離する。そして、図５に示されるように、剥離したインデックスラベル１の第１の貼り付け部１３に対応する接着剤層３ａを、シートＳの表面の端縁に貼り付ける。
【００３２】
続いて、図６に示されるように、第２の表示部１２及び第２の貼り付け部１４を、第２の端辺１１ｂに沿った破線（ミシン目）を起点として裏側に折り返す。この折り返しにより、第２の貼り付け部１４に対応する接着剤層３ｂがシートＳの裏面の端縁に貼り付けられる。第１及び第２の表示部１１，１２も、この折り返しにより、接着剤層３ｄ等を介して、互いに貼り付けられる。
【００３３】
続いて、図７〜図９に示されるように、第１及び第２の補強部１５，１６を端辺１５ａ，１６ａに沿った破線（ミシン目）を起点としてそれぞれ裏側に折り返す。この折り返しにより、第１及び第２の補強部１５，１６が、対応する接着剤層３ｃ，３ｅを介して第２の貼り付け部１４上の両端部に貼り付けられる。図９では、便宜上、接着剤層３の記載を省略している。なお、インデックスラベル１の貼り付けにあたり、上述した方法に代えて、第１の貼り付け部１３をシートＳに貼り付ける前に第２の貼り付け部１４をシートＳに最初に貼り付けるようにしてもよいし、第２の表示部１２及び第２の貼り付け部１４を折り返す前に補強部１５，１６を先に折り返すようにしてもよい。
【００３４】
以上のように、本実施形態に係るインデックスラベル１は、第１の表示部１１の第３及び第４の端辺１１ｃ，１１ｄに隣接し、且つ、第１の貼り付け部１３に連接して配置される補強部１５，１６を備えている。このため、このインデックスラベル１によれば、インデックスラベル１が貼り付けられたシートＳにおいて比較的破れやすいインデックスラベル１との境目付近に補強部１５，１６を位置させることができるため、シートＳをより破れにくくさせることができる。
【００３５】
インデックスラベル１では、第１及び第２の貼り付け部１３，１４の幅Ｗ３は、第１又は第２の表示部１１，１２の幅Ｗ１と補強部１５，１６の幅Ｗ２，Ｗ２との和に等しい。このような構成により、第１及び第２の貼り付け部１３，１４の幅Ｗ３を長めに設定できると共に、補強部１５，１６の配置箇所をコンパクトに確保することもできる。
【００３６】
インデックスラベル１では、補強部１５，１６は、第１の貼り付け部１３側の一端からＸ方向における他端に向かって、Ｙ方向における内側にそれぞれ傾斜するような台形形状となっている。これにより、貼り付けられたシートＳの端縁とインデックスラベル１との境目に集中しやすい変形応力をインデックスラベル１の内側方向に分散させることができ、シートＳをより一層破れにくくさせることができる。
【００３７】
インデックスラベル１では、フェイス材層２は、第１の表示部１１の第２の端辺１１ｂを対称軸として第１の表示部１１に線対称に配置される第２の表示部１２を更に含んでいる。これにより、インデックスラベル１では、その両面に表示部を設けることができる。
【００３８】
インデックスラベル１では、フェイス材層２は、第２の表示部１２に連結され、第１の表示部１１の第２の端辺１１ｂを対称軸として第１の貼り付け部１３と線対称に配置される第２の貼り付け部１４を更に含んでいる。これにより、インデックスラベル１では、貼り付けられたシートＳの端縁とインデックスラベル１との境目に集中する変形応力を、第２の貼り付け部１４によっても抑止することができ、シートＳをより一層破れにくくさせることができる。
【００３９】
［第２実施形態］
続いて、本発明に係るインデックスラベルの第２実施形態について説明する。本実施形態に係るインデックスラベル２１は、図１０に示されるように、第１実施形態に係るインデックスラベル１と略同様の平面形状を呈するものの、一部の材料構成（層構成）が異なっている。以下、相違する点を中心に説明する。
【００４０】
図１０は、第２実施形態に係るインデックスラベルの平面図である。図１１は、図１０におけるXI-XI線断面図である。図１０及び図１１に示されるように、インデックスラベル２１は、複数の層で構成されるフェイス材層２，２２と、各フェイス材層２，２２の下面全体にそれぞれ配置される接着剤層３，３３とを備えており、剥離ライナー４上に配置されている。
【００４１】
フェイス材層２，２２は、図１１に示されるように、二層から構成されており、上側の層（上層）２２は、透明プラスチック層で形成されており、下側の層（下層）２は、第１実施形態と同様に紙またはプラスチックフィルムから形成されている。透明プラスチック層で形成される上層２２は、第１実施形態と同様に、矩形形状の一部（台形形状の部分２箇所）を切り欠いた形状を呈している。一方、紙から構成される下層２は、第１及び第２の表示部１１，１２に対応する部分のみを含むように形成されている。フェイス材層の下層２が第１及び第２の表示部１１，１２のみを含んで構成されるため、この下層２の下側に配置される接着剤層３も表示部１１，１２に対応する領域のみに配置されている。
【００４２】
フェイス材層の上層２２に用いる透明プラスチックフィルムの具体例としては、ポリプロピレンフィルム、ポリエチレンフィルム、ポリエステルフィルム、ポリアクリルフィルム、ポリ塩化ビニルフィルム、ポリウレタンフィルムなどを用いることができる。本実施形態では、フェイス材層２，２２は、上述したように、プラスチック材料や紙材料を組み合わせて用いている。
【００４３】
フェイス材層の上層２２は、第１実施形態と同様に、第１の貼り付け部２３と、第２の貼り付け部２４と、第１の補強部２５と、第２の補強部２６とを含んで構成される。第１及び第２の貼り付け部２３，２４や第１及び第２の補強部２５，２６は、透明プラスチック層から形成されている点を除けば、第一実施形態における第１及び第２の貼り付け部１３，１４や第１及び第２の補強部２５，２６と同様である。フェイス材層２２は、更に、第１の表示カバー部２７と、第２の表示カバー部２８とを備えている。
【００４４】
第１の表示カバー部２７は、その下に位置する第１の表示部１１と同じ形状を呈しており、接着剤層３３を介して、第１の表示部１１を覆う部分である。第２の表示カバー部２８は、その下に位置する第２の表示部１２と同じ形状を呈しており、接着剤層３３を介して、第２の表示部１２を覆う部分である。第１及び第２の表示カバー部２７，２８は、透明プラスチック層から形成されているため、第１及び第２の表示部１１，１２に記載等された見出しを隠してしまうことがなく、紙からなる表示部１１，１２を擦れや水分や汚れといったものから保護することができる。
【００４５】
以上のように、本実施形態に係るインデックスラベル２１でも、第１実施形態と同様に、第１の表示部１１の第３及び第４の端辺１１ｃ，１１ｄに隣接し、且つ、第１の貼り付け部２３に連接して配置される補強部２５，２６を備えている。このため、このインデックスラベル２１によれば、インデックスラベル２１が貼り付けられたシートＳにおいて比較的破れやすいインデックスラベル２１との境目付近に補強部２５，２６を位置させることができるため、シートＳをより破れにくくさせることができる。
【００４６】
インデックスラベル２１では、第１及び第２の貼り付け部２３，２４及び補強部２５，２６に対応するフェイス材層２２は、透明プラスチック層で形成されている。このため、インデックスラベル２１をシートＳの端縁に貼り付けた際に、シートＳの端縁に記載されている文字等をインデックスラベル２１によって隠してしまうといったことを一層防止することができる。
【００４７】
［第３実施形態］
続いて、本発明に係るインデックスラベルの第３実施形態について説明する。図１２は、第３実施形態に係るインデックスラベルの平面図である。本実施形態に係るインデックスラベル３１は、図１２に示されるように、第１実施形態に係るインデックスラベル１と略同様の平面形状を呈するものの、一部の平面形状が異なっている。以下、相違する点を中心に説明する。
【００４８】
インデックスラベル３１は、図１２に示されるように、フェイス材層３２と、フェイス材層３２の下面全体に配置される接着剤層３とを備えており、剥離ライナー４上に配置されている。フェイス材層３２は、第１実施形態と同様に紙またはプラスチックフィルムから形成され、第１及び第２の表示部３７，３８と、第１及び第２の貼り付け部１３，１４と、第１及び第２の補強部３５，３６とを含んで構成される。第１及び第２の表示部３７，３８や第１及び第２の補強部３５，３６は、平面形状が異なる点を除けば、第１実施形態における第１及び第２の表示部１１，１２や第１及び第２の補強部１５，１６と同様である。
【００４９】
第１の表示部３７は、略矩形形状を呈しており、第２の表示部３８との境界線３７ｂ側において両角部が内側に丸められており、第１の貼り付け部１３側において、両角部が外側に丸められている。第２の表示部３８は、境界線３７ｂを介して、第１の表示部３７と線対称となる略矩形形状を呈している。なお、第１の表示部３７において、第３及び第４の端辺３７ｃ，３７ｄは、Ｘ方向に平行に延在している。
【００５０】
第１の補強部３５は、略矩形形状を呈しており、第１の貼り付け部１３側において、一方の角部が内側に丸められており、第２の貼り付け部１４側において、一方の角部が外側に丸められている。第２の補強部３６は、Ｙ方向におけるインデックスラベル３１の中心線を対称軸として第１の補強部３５と線対称となる略矩形形状を呈している。
【００５１】
以上のように、本実施形態に係るインデックスラベル３１でも、第１実施形態等と同様に、第１の表示部３７の第３及び第４の端辺３７ｃ，３７ｄに隣接し、且つ、第１の貼り付け部１３に連接して配置される補強部３５，３６を備えている。このため、このインデックスラベル３１によれば、インデックスラベル３１が貼り付けられたシートＳにおいて比較的破れやすいインデックスラベル３１との境目付近に補強部３５，３６を位置させることができるため、シートＳをより破れにくくさせることができる。なお、第１実施形態と共通する構成による作用効果は第３の実施形態においても発揮される。
【００５２】
［第４実施形態］
続いて、本発明に係るインデックスラベルの第４実施形態について説明する。図１３は、第４実施形態に係るインデックスラベルの平面図である。本実施形態に係るインデックスラベル４１は、図１３に示されるように、第１実施形態に係るインデックスラベル１と略同様の平面形状を呈するものの、一部の平面形状が異なっている。以下、相違する点を中心に説明する。
【００５３】
インデックスラベル４１は、図１３に示されるように、フェイス材層４２と、フェイス材層４２の下面全体に配置される接着剤層３とを備えており、剥離ライナー４上に配置されている。フェイス材層４２は、第１実施形態と同様に紙またはプラスチックフィルムから形成され、第１及び第２の表示部４７，４８と、第１及び第２の貼り付け部１３，１４と、第１及び第２の補強部４５，４６とを含んで構成される。第１及び第２の表示部４７，４８や第１及び第２の補強部４５，４６は、平面形状が異なる点を除けば、第１実施形態における第１及び第２の表示部１１，１２や第１及び第２の補強部１５，１６と同様である。
【００５４】
第１及び第２の表示部４７，４８は、それぞれ矩形形状を呈しており、第２の表示部４８は、境界線４７ｂを介して、第１の表示部４７と線対称な形状を呈している。第１及び第２の補強部４５，４６は、それぞれ矩形形状を呈しており、第２の補強部４６は、Ｙ方向におけるインデックスラベル４１の中心線を対称軸として第１の補強部４５と線対称な形状を呈している。
【００５５】
以上のように、本実施形態に係るインデックスラベル４１でも、第１実施形態等と同様に、第１の表示部４７の第３及び第４の端辺４７ｃ，４７ｄに隣接し、且つ、第１の貼り付け部１３に連接して配置される補強部４５，４６を備えている。このため、このインデックスラベル４１によれば、インデックスラベル４１が貼り付けられたシートＳにおいて比較的破れやすいインデックスラベル４１との境目付近に補強部４５，４６を位置させることができるため、シートＳをより破れにくくさせることができる。なお、第１実施形態と共通する構成による作用効果は第４の実施形態においても発揮される。
【００５６】
［第５実施形態］
続いて、本発明に係るインデックスラベルの第５実施形態について説明する。図１４は、第５実施形態に係るインデックスラベルの平面図である。本実施形態に係るインデックスラベル５１は、図１４に示されるように、第１実施形態に係るインデックスラベル１と略同様の平面形状を呈するものの、一部の平面形状が異なっている。以下、相違する点を中心に説明する。
【００５７】
インデックスラベル５１は、図１４に示されるように、フェイス材層５２と、フェイス材層５２の下面全体に配置される接着剤層３とを備えており、剥離ライナー４上に配置されている。フェイス材層５２は、第１実施形態と同様に紙またはプラスチックフィルムから形成され、第１及び第２の表示部１１，１２と、第１及び第２の貼り付け部１３，１４と、第１及び第２の補強部５５，５６とを含んで構成される。第１及び第２の補強部５５，５６は、平面形状が異なる点を除けば、第１実施形態における第１及び第２の補強部１５，１６と同様である。
【００５８】
第１及び第２の補強部５５，５６は、それぞれ矩形形状を呈しており、第２の補強部５６は、Ｙ方向におけるインデックスラベル５１の中心線を対称軸として第１の補強部５５と線対称な形状を呈している。
【００５９】
以上のように、本実施形態に係るインデックスラベル５１でも、第１実施形態等と同様に、第１の表示部１１の第３及び第４の端辺１１ｃ，１１ｄに隣接し、且つ、第１の貼り付け部１３に連接して配置される補強部５５，５６を備えている。このため、このインデックスラベル５１によれば、インデックスラベル５１が貼り付けられたシートＳにおいて比較的破れやすいインデックスラベル５１との境目付近に補強部５５，５６を位置させることができるため、シートＳをより破れにくくさせることができる。なお、第１実施形態と共通する構成による作用効果は第５の実施形態においても発揮される。
【００６０】
［第６実施形態］
続いて、本発明に係るインデックスラベルの第６実施形態について説明する。図１５は、第６実施形態に係るインデックスラベルの平面図である。本実施形態に係るインデックスラベル６１は、図１５に示されるように、第１実施形態に係るインデックスラベル１と略同様の平面形状を呈するものの、一部の平面形状が異なっている。以下、相違する点を中心に説明する。
【００６１】
インデックスラベル６１は、図１５に示されるように、フェイス材層６２と、フェイス材層６２の下面全体に配置される接着剤層３とを備えており、剥離ライナー４上に配置されている。フェイス材層６２は、第１実施形態と同様に紙またはプラスチックフィルムから形成され、第１及び第２の表示部１１，１２と、第１及び第２の貼り付け部１３，１４と、第１及び第２の補強部６５，６６とを含んで構成される。第１及び第２の補強部６５，６６は、平面形状が異なる点を除けば、第１実施形態における第１及び第２の補強部１５，１６と同様である。
【００６２】
第１の補強部６５は、第１実施形態における第１の補強部１５を２つ組み合わせた五角形形状を呈している。第１の補強部６５と第１及び第２の表示部１１，１２との間には切り込みが形成されており、第１の補強部６５と第１及び第２の表示部１１，１２とは互いに分離されている。また、第１の補強部６５と第２の貼り付け部１４との間にも切り込みが形成されており、第１の補強部６５と第２の貼り付け部１４とは互いに分離されている。
【００６３】
第２の補強部６６は、Ｙ方向におけるインデックスラベル６１の中心線を対称軸として第１の補強部６５と線対称な五角形形状を呈している。第２の補強部６６と第１及び第２の表示部１１，１２との間には切り込みが形成されており、第２の補強部６６と第１及び第２の表示部１１，１２とは互いに分離されている。また、第２の補強部６６と第２の貼り付け部１４との間にも切り込みが形成されており、第２の補強部６６と第２の貼り付け部１４とは互いに分離されている。
【００６４】
以上のように、本実施形態に係るインデックスラベル６１でも、第１実施形態等と同様に、第１の表示部１１の第３及び第４の端辺１１ｃ，１１ｄに隣接し、且つ、第１の貼り付け部１３に連接して配置される補強部６５，６６を備えている。このため、このインデックスラベル６１によれば、インデックスラベル６１が貼り付けられたシートＳにおいて比較的破れやすいインデックスラベル６１との境目付近に補強部６５，６６を位置させることができるため、シートＳをより破れにくくさせることができる。なお、第１実施形態と共通する構成による作用効果は第６の実施形態においても発揮される。
【００６５】
［第７実施形態］
続いて、本発明に係るインデックスラベルの第７実施形態について説明する。図１６は、第７実施形態に係るインデックスラベルの平面図である。本実施形態に係るインデックスラベル７１は、図１６に示されるように、第１実施形態に係るインデックスラベル１と略同様の平面形状を呈するものの、一部の平面形状が異なっている。以下、相違する点を中心に説明する。
【００６６】
インデックスラベル７１は、図１６に示されるように、フェイス材層７２と、フェイス材層７２の下面全体に配置される接着剤層３とを備えており、剥離ライナー４上に配置されている。フェイス材層７２は、第１実施形態と同様に紙またはプラスチックフィルムから形成され、第１及び第２の表示部１１，１２と、第１及び第２の貼り付け部１３，１４と、第１及び第２の補強部１５，７６とを含んで構成される。第２の補強部７６は、配置箇所が異なる点を除けば、第１実施形態における第２の補強部１６と同様である。
【００６７】
第２の補強部７６は、第１実施形態における第２の補強部１６を、端辺１１ｂに沿った中心線を基準として線対称となる位置に配置箇所を変更したものであり、台形形状を呈している。第２の補強部７６は、第２の貼り付け部１４のＹ方向における他方の端部に連接して形成されており、第２の表示部１２のＹ方向における他方の端辺１２ｄに隣接するように配置されている。第２の表示部１２と第２の補強部７６との間である端辺１２ｄに沿って切り込みが形成されており、第２の表示部１２と第２の補強部７６とは互いに分離されている。なお、第２の補強部７６は、インデックスラベル７１をシートＳに貼り付ける際、その下側に配置される接着剤層３の一部を介して、第１の貼り付け部１３の上面の一部を覆うように貼り付けされる。
【００６８】
以上のように、本実施形態に係るインデックスラベル７１でも、第１実施形態等と同様に、第１又は第２の表示部１１，１２の端辺１１ｃ，１２ｄに隣接し、且つ、第１又は第２の貼り付け部１３，１４に連接して配置される補強部１５，７６を備えている。このため、このインデックスラベル７１によれば、インデックスラベル７１が貼り付けられたシートＳにおいて比較的破れやすいインデックスラベル７１との境目付近に補強部１５，７６を位置させることができるため、シートＳをより破れにくくさせることができる。なお、第１実施形態と共通する構成による作用効果は第７の実施形態においても発揮される。
【００６９】
［第８実施形態］
続いて、本発明に係るインデックスラベルの第８実施形態について説明する。図１７は、第８実施形態に係るインデックスラベルの平面図である。本実施形態に係るインデックスラベル８１は、図１７に示されるように、第１実施形態に係るインデックスラベル１と略同様の平面形状を呈するものの、フェイス材層８２が第２の貼り付け部１４を有していない点で相違する。
【００７０】
本実施形態に係るインデックスラベル８１でも、第１実施形態等と同様に、第１の表示部１１の端辺１１ｃ，１１ｄに隣接し、且つ、第１の貼り付け部１３に連接して配置される補強部１５，１６を備えている。このため、このインデックスラベル８１によれば、インデックスラベル８１が貼り付けられたシートＳにおいて比較的破れやすいインデックスラベル８１との境目付近に補強部１５，１６を位置させることができるため、シートＳをより破れにくくさせることができる。なお、第１実施形態と共通する構成による作用効果は第８の実施形態においても発揮される。
【実施例】
【００７１】
以下、実施例により本発明をより具体的に説明するが、本発明は実施例に限定されるものではない。
【００７２】
（実施例１）
まず、第１実施形態で示した構成を有するインデックスラベルＴ１を用意した。このインデックスラベルＴ１のそれぞれの寸法は、図１８（ａ）に示すとおりであった。また、このインデックスラベルＴ１は、紙ラベルであり、図１９（ａ）に示すように、８０μｍの紙（Paper）の下面に、アクリル系感圧性接着剤（Acrylic adhesive）を塗布した層構成であり、８０μｍのライナー（Liner）の上に配置した。
【００７３】
続いて、コピー用紙Ｐを図２０に示されるように２００ｍｍ×７０ｍｍの形状にカットした。そして、図１８（ａ）に示されるインデックスラベルＴ１を、このコピー用紙Ｐに貼り付けた。貼り付けの際に、インデックスラベルＴ１の中心線Ｃ１とコピー用紙Ｐの中心線Ｃ２とを同一直線状になるようにした。その後、カットしたコピー用紙Ｐを図２０に示す線Ｌ１，Ｌ２で図示裏側に向かって斜めに折り返した。
【００７４】
続いて、図２１に示されるように、コピー用紙Ｐよりも長手方向の寸法が短い１５０ｍｍ×７０ｍｍのＳＵＳ板Ｂを用意した。そして、コピー用紙Ｐの線Ｌ１，Ｌ２を、このＳＵＳ板Ｂの短手方向の端面それぞれに重なるようにし、コピー用紙Ｐを，その両端部Ｐ１，Ｐ２がＳＵＳ板Ｂの裏面側に来るように折り返して、両面テープで固定した。コピー用紙Ｐは、斜めに折り曲げられて固定されているため、図２２に示されるように、図示手前側が開口するような半ドーム形状となった。このコピー用紙Ｐは、ＳＵＳ板Ｂの表面側では、ＳＵＳ板Ｂに貼り付けられないようにされていた。
【００７５】
続いて、図２０及び図２２に示すように、インデックスラベルＴ１の右半分を引張試験機のチャックＨで挟むように固定した。このように偏った固定としたのは、貼り付けられたインデックスラベルＴ１を偏って持った際に、シートＳが破れてしまうことが多いのを考慮したものであった。ＳＵＳ板Ｂを水平面に置き、その後、図２２に示されるように、１００ｍｍ／分の速度で、鉛直方向にチャックＨで固定したインデックスラベルＴ１の引っ張りを行った。そして、コピー用紙Ｐが破断した際の最大強度を記録したところ、１０．５［Ｎ］であった。
【００７６】
（比較例１）
実施例１（実施形態１）におけるインデックスラベルＴ１の補強部１５，１６を除いた点以外は同じ構成のインデックスラベルＴ２を用意した。このインデックスラベルＴ２のそれぞれの寸法は、図１８（ｂ）に示すとおりであった。また、このインデックスラベルＴ２は、実施例１と同様に紙ラベルであり、図１９（ａ）に示す層構成とした。続いて、このインデックスラベルＴ２に対して、実施例１と同様の引張試験を行い、コピー用紙Ｐが破断した際の最大強度を記録したところ、９．０［Ｎ］であった。
【００７７】
（実施例２）
続いて、紙とプラスチックフィルムからなる二層構造のフェイス材層を有するインデックスラベルＴ３を用意した。すなわち、このインデックスラベルＴ３は、ラミネートラベルであり、図１９（ｂ）に示すように、８０μｍの紙の下面にアクリル系感圧性接着剤を塗布した層構成に加え、２０μｍのＯＰＰフィルムをアクリル系感圧性接着剤によってその上に配置したものであった。このインデックスラベルＴ３のそれぞれの寸法は、図１８（ａ）に示すとおりであった。続いて、このインデックスラベルＴ３に対して、実施例１等と同様の引張試験を行い、コピー用紙Ｐが破断した際の最大強度を記録したところ、１０．６［Ｎ］であった。
【００７８】
（比較例２）
実施例２におけるインデックスラベルＴ３の補強部２５，２６を除いた点以外は同じ構成のインデックスラベルＴ４を用意した。このインデックスラベルＴ４のそれぞれの寸法は、図１８（ｂ）に示すとおりであった。また、このインデックスラベルＴ４は、実施例２と同様にラミネートラベルであり、図１９（ｂ）に示す層構成とした。続いて、このインデックスラベルＴ４に対して、実施例１等と同様の引張試験を行い、コピー用紙Ｐが破断した際の最大強度を記録したところ、８．９［Ｎ］であった。
【００７９】
このように、インデックスラベルに補強部１５，１６，２５，２６を設けることにより、破断する際の最大強度が１７％〜１９％（約２割）も向上し、インデックスシートを貼り付けたシートＳをより破れにくくさせることができることが確認された。
【符号の説明】
【００８０】
１，２１，３１，４１，５１，６１，７１，８１…インデックスラベル、２，２２，３２，４２，５２，６２，７２，８２…フェイス材層、３，３３…接着剤層、１１，３７，４７…第１の表示部、１１ａ…第１の端辺、１１ｂ…第２の端辺、１１ｃ…第３の端辺、１１ｄ…第４の端辺、１２，３８，４８…第２の表示部、１３，２３…第１の貼り付け部、１４，２４…第２の貼り付け部、１５，２５，３５，４５，５５，６５…第１の補強部、１６，２６，３６，４６，５６，６６，７６…第２の補強部、Ｓ…シート。
【図１】
2013010195.tif 000003
【図２】
2013010195.tif 000004
【図３】
2013010195.tif 000005
【図４】
2013010195.tif 000006
【図５】
2013010195.tif 000007
【図６】
2013010195.tif 000008
【図７】
2013010195.tif 000009
【図８】
2013010195.tif 000010
【図９】
2013010195.tif 000011
【図１０】
2013010195.tif 000012
【図１１】
2013010195.tif 000013
【図１２】
2013010195.tif 000014
【図１３】
2013010195.tif 000015
【図１４】
2013010195.tif 000016
【図１５】
2013010195.tif 000017
【図１６】
2013010195.tif 000018
【図１７】
2013010195.tif 000019
【図１８】
2013010195.tif 000020
【図１９】
2013010195.tif 000021
【図２０】
2013010195.tif 000022
【図２１】
2013010195.tif 000023
【図２２】
2013010195.tif 000024